(57)【要約】【課題】来場者の受付管理及び展示ブースへの訪問履歴情報を管理する仕組み、来場者の携帯電話で出展情報を検索できる仕組みを可能にした、携帯電話とＩＣチップを利用した展示会支援システムを提供する。【解決手段】センタサーバ１０１は、来場者が所有する携帯電話３０又はＩＣカード３１に組み込まれたＩＣチップに格納されたＵＩＤやリーダーＩＤを、展示ブース２２１〜２２４のＩＣチップリーダー２３１〜２３４から会場内サーバ２４０を介して受信すると、訪問履歴情報ＤＢへ受信データを登録する手段と、来場者のクライアント２２又は携帯電話３０から出展情報検索要求を受信すると、出展情報検索要求に基づき各ＤＢを検索し、検索条件に合致した情報を出展情報として要求元に送信する手段等を備えた、携帯電話とＩＣチップを利用した展示会支援システムを提供する。【選択図】図１
2011043953.tif 000002
【特許請求の範囲】
【請求項１】
センタサーバが、展示会場内に設置された会場内サーバと、
展示会を主催する主催企業のクライアントと、
展示会に出品する出展企業のクライアントと、
展示会の来場者のクライアントと、
来場者の持つ携帯電話とにネットワークを介して通信自在に接続され、
前記会場内サーバが、展示会場内のサービス利用登録所に設置されたＩＣチップリーダー及びスキャナを備えた端末と、
展示ブースに設置されたＩＣチップリーダーとに接続された、携帯電話とＩＣチップを利用した展示会支援システムであって、
前記センタサーバは、来場者が所有する携帯電話又はＩＣカードに組み込まれたＩＣチップのＵＩＤ及び個人情報を来場者のクライアントから来場者の入場前に受信すると、前記ＩＣチップのＵＩＤをＩＣチップ情報ＤＢに事前登録し、前記個人情報に来場者ＩＤを設定して個人情報ＤＢに事前登録する手段と、
前記サービス利用登録所の事前登録者用ＩＣチップリーダーによって読み取られた、来場者の携帯電話又はＩＣカードに組み込まれたＩＣチップに格納されたＵＩＤを前記会場内サーバを介して受信すると、個人情報ＤＢの来場フラグを更新する手段と、
前記サービス利用登録所の当日登録者用ＩＣチップリーダーによって読み取られた、来場者の携帯電話又はＩＣカードに組み込まれたＩＣチップのＵＩＤと、前記スキャナによって読み取られた来場者の名刺情報である個人情報とを前記会場内サーバを介して受信すると、前記ＩＣチップのＵＩＤをＩＣチップ情報ＤＢへ、前記個人情報を個人情報ＤＢへ夫々登録し、登録済みである場合は、個人情報ＤＢの来場フラグを更新する手段と、
登録又は更新が完了すると、来場者専用携帯サイトにアクセスするＵＲＬを作成する手段と、
専用携帯サイトにアクセスするためのＩＤ及びパスワードと、前記ＵＲＬが含まれたＱＲコードを発行し、前記端末へ送信する手段と、
来場者が所有する携帯電話又はＩＣカードに組み込まれたＩＣチップに格納されたＵＩＤやリーダーＩＤを、前記展示ブースのＩＣチップリーダーから前記会場内サーバを介して受信すると、訪問履歴情報ＤＢへ受信データを登録する手段と、
来場者のクライアント又は携帯電話から認証要求を受信すると、来場者専用サイト又は来場者専用携帯サイトを介して来場者へ来場者ＩＤとパスワードの入力を促す手段と、
入力された来場者ＩＤおよびパスワードを前記来場者のクライアント又は携帯電話から受信すると、受信した来場者ＩＤおよびパスワードに基づき認証処理を行い、正しい場合は接続を許可する手段と、
前記来場者のクライアント又は携帯電話から出展情報検索要求を受信すると、出展情報検索要求に基づきミニセミナー情報ＤＢ、出展企業情報ＤＢ及び製品情報ＤＢを検索し、検索条件に合致した情報を出展情報として要求元に送信する手段とを備え、
前記端末は、前記来場者専用携帯サイトへアクセスするＩＤ及びパスワードおよびＵＲＬが含まれたＱＲコードを受信すると、それを画面へ表示する手段と、
前記端末に接続されている出力機器に前記ＱＲコードを出力する手段とを備え、
前記携帯電話は、前記出力機器に出力されたＱＲコードを読み取る手段と、
ＱＲコードを介して来場者専用携帯サイトへアクセスする手段とを備えたことを特徴とする、携帯電話とＩＣチップを利用した展示会支援システム。
【請求項２】
前記センタサーバは、前記来場者のクライアントまたは携帯電話から訪問履歴表示要求を受信すると、訪問履歴情報ＤＢから来場者の訪問履歴を来場者ＩＤで検索し、更にその検索結果に、ファイルサーバに格納されているカタログに対応する出展企業ＩＤ及び製品ＩＤを含むかどうかを電子カタログＤＢから検索し、含む場合は、その検索結果を追加して、検索結果を要求元に送信する手段とを備えたことを特徴とする、請求項１記載の携帯電話とＩＣチップを利用した展示会支援システム。
【請求項３】
前記センタサーバは、前記来場者のクライアントまたは携帯電話から電子カタログダウンロード要求を受信すると、電子カタログＤＢからダウンロードするファイルのパスを検索し、ファイルサーバからそのパスに対応するファイルデータを取得する手段と、
取得したファイルデータを要求元へ送信する手段と、
送信と同時に、カタログタウンロード履歴情報ＤＢへ履歴情報を登録する手段とを備えたことを特徴とする、請求項１又は２記載の携帯電話とＩＣチップを利用した展示会支援システム。
【請求項４】
センタサーバが、展示会場内に設置された会場内サーバと、
展示会を主催する主催企業のクライアントと、
展示会に出品する出展企業のクライアントと、
展示会の来場者のクライアントと、
来場者の持つ携帯電話とにネットワークを介して通信自在に接続され、
前記会場内サーバが、展示会場内のサービス利用登録所に設置されたＩＣチップリーダー及びスキャナを備えた端末と、
展示ブースに設置されたＩＣチップリーダーとに接続された、携帯電話とＩＣチップを利用した展示会支援システムであって、
前記センタサーバは、前記センタサーバが提供する出展企業専用サイトを介して出展企業のクライアントから認証要求を受信すると、サイトにログインするための出展企業ＩＤとパスワードを入力させ、入力された出展企業ＩＤおよびパスワードを基に認証処理を行い、正しい場合は接続を許可する手段と、
前記出展企業のクライアントから受信した、ミニセミナー情報をミニセミナー情報ＤＢへ、出展企業情報を出展企業情報ＤＢへ、製品情報を製品情報ＤＢへ、電子カタログ情報を電子カタログＤＢへそれぞれ登録し、電子カタログデータをファイルサーバへ送信する手段と
登録及び送信が完了すると、その旨を前記主催企業のクライアントに通知する手段と、
前記出展企業のクライアントからＩＣチップリーダー利用申請が行われると、リーダー情報ＤＢに製品ＩＤを登録する手段と、
前記センタサーバが提供する主催企業専用サイトを介して前記主催企業のクライアントから認証要求を受信すると、主催企業ＩＤとパスワードを入力させ、入力された主催企業ＩＤおよびパスワードを基に認証処理を行い、正しい場合は接続を許可する手段と、
前記主催企業のクライアントから確認要求を受信すると、確認要求があった出展企業のミニセミナー情報をミニセミナー情報ＤＢから、出展企業情報を出展企業情報ＤＢから、製品情報を製品情報ＤＢから、カタログ情報を電子カタログＤＢからそれぞれ取得し、
取得した情報を要求元へ送信する手段とを備えたことを特徴とする、携帯電話とＩＣチップを利用した展示会支援システム。
【請求項５】
前記センタサーバは、出展企業のクライアントから電子カタログダウンロード者情報問い合わせ要求を受けると、カタログダウンロード履歴情報ＤＢから対象製品の電子カタログをダウンロードした来場者の来場者ＩＤを抽出し、抽出したデータをキーに個人情報ＤＢから検索した名刺情報を要求元へ送信する手段を備えたことを特徴とする、請求項４記載の携帯電話とＩＣチップを利用した展示会支援システム。
【請求項６】
前記センタサーバは、主催企業のクライアントから来場者訪問履歴問い合わせ要求を受けると、訪問履歴情報ＤＢ及び個人情報ＤＢから要求にあった項目を検索して検索結果を要求元へ送信する手段を備えたことを特徴とする、請求項４又は５記載の携帯電話とＩＣチップを利用した展示会支援システム。
【請求項７】
前記センタサーバは、前記主催企業のクライアントから名刺リスト作成問い合わせ要求を受けると、訪問履歴情報ＤＢ及び個人情報ＤＢから名刺情報を取得して、ＩＣチップリーダー毎の名刺リストを作成し、暗号化して出力し、リスト作成が完了すると、各出展企業のクライアントへ名刺リスト作成完了通知を送信する手段を備えたことを特徴とする、請求項４乃至６のうちいずれか一に記載の携帯電話とＩＣチップを利用した展示会支援システム。
【請求項８】
前記センタサーバは、出展企業のクライアントから名刺リスト取得依頼を受信すると、前記名刺リストを依頼元へ送信する手段を備えたことを特徴とする、請求項７記載の携帯電話とＩＣチップを利用した展示会支援システム。
【発明の詳細な説明】
【技術分野】
【０００１】
本発明は展示会場内において、来場者と出展企業が出会うきっかけ作りを提供するシステムに関し、特に、来場者が所持しているＩＣ（Integrated
Circuit）チップで受付管理及び訪問履歴情報を管理するシステム、出展企業の出展情報を検索するシステム、及び、出展企業が配布しているカタログを電子媒体でダウンロードできるシステムを提供する、携帯電話とＩＣチップを利用した展示会支援システムに関するものである。
【背景技術】
【０００２】
産業界では、各業者で提供する商品やサービス、ソリューションを紹介するために展示会を開いている。会場の広さが２万ｍ２規模の展示会も多く開催されており、数多くの企業が出展ブースを設けている。来場者は複数の出展ブースを訪問して名刺交換を行い、カタログを受け取る。
一般的に、出展企業はブースに訪れた来場者と名刺交換を行うが、展示会会期中に取得する名刺は数百枚以上になるケースも多く、名刺の管理にコストと労力をかけている。来場者は訪問前もしくは展示会会場に到着してから、自分が訪問するブースを選び、選択した展示ブースを訪問する。ただし、展示会の案内図を参照しただけでは、展示ブースでの展示内容を把握できない場合や、展示ブースで開催されるミニセミナーの内容を把握できない場合がある。
【０００３】
そこで上記の課題を解決する手段として、来場者は名刺情報が含まれているカードを利用して出展企業へ名刺情報を提供し、カタログを請求できるシステムが提案されている（特許文献１参照）。又、来場者がより効率の良いブース訪問を行えるように、来場者個人の興味の対象を的確に判断し、展示会の最適な訪問先を立案できるシステムが提案されている（特許文献２参照）。
【先行技術文献】
【特許文献】
【０００４】
【特許文献１】特開２００４−１５２２２５号公報
【特許文献２】特開２００７−４８１７１号公報
【発明の概要】
【発明が解決しようとする課題】
【０００５】
しかし、特許文献１記載の発明では、カードを発行するコストと手間が発生してしまう。特許文献２記載の発明では、来場者向けサービスのみの提供であり、出展企業や主催企業向けのサービスがない。
【０００６】
以上の現状に鑑み、本発明は、来場者の受付管理及び展示ブースへの訪問履歴情報を管理する仕組み、来場者へ訪問ブースの製品カタログを電子媒体で提供する仕組み、来場者の携帯電話で出展情報を検索できる仕組み、出展企業へ展示ブースに訪問した人の電子化された名刺情報を提供する仕組みを可能にした、携帯電話とＩＣチップを利用した展示会支援システムを提供することを目的とする。
又、来場者が既に持っているＩＣチップを搭載した媒体を利用することで、ＩＣチップを搭載した媒体を発行するコストと手間を省き、安価なサービスを提供することを目的とする。
【課題を解決するための手段】
【０００７】
上記の課題を解決すべく、本発明は以下の構成を提供する。
請求項１に係る発明は、センタサーバが、展示会場内に設置された会場内サーバと、
展示会を主催する主催企業のクライアントと、
展示会に出品する出展企業のクライアントと、
展示会の来場者のクライアントと、
来場者の持つ携帯電話とにネットワークを介して通信自在に接続され、
前記会場内サーバが、展示会場内のサービス利用登録所に設置されたＩＣチップリーダー及びスキャナを備えた端末と、
展示ブースに設置されたＩＣチップリーダーとに接続された、携帯電話とＩＣチップを利用した展示会支援システムであって、
前記センタサーバは、来場者が所有する携帯電話又はＩＣカードに組み込まれたＩＣチップのＵＩＤ及び個人情報を来場者のクライアントから来場者の入場前に受信すると、前記ＩＣチップのＵＩＤをＩＣチップ情報ＤＢに事前登録し、前記個人情報に来場者ＩＤを設定して個人情報ＤＢに事前登録する手段と、
前記サービス利用登録所の事前登録者用ＩＣチップリーダーによって読み取られた、来場者の携帯電話又はＩＣカードに組み込まれたＩＣチップに格納されたＵＩＤを前記会場内サーバを介して受信すると、個人情報ＤＢの来場フラグを更新する手段と、
前記サービス利用登録所の当日登録者用ＩＣチップリーダーによって読み取られた、来場者の携帯電話又はＩＣカードに組み込まれたＩＣチップのＵＩＤと、前記スキャナによって読み取られた来場者の名刺情報である個人情報とを前記会場内サーバを介して受信すると、前記ＩＣチップのＵＩＤをＩＣチップ情報ＤＢへ、前記個人情報を個人情報ＤＢへ夫々登録し、登録済みである場合は、個人情報ＤＢの来場フラグを更新する手段と、
登録又は更新が完了すると、来場者専用携帯サイトにアクセスするＵＲＬを作成する手段と、
専用携帯サイトにアクセスするためのＩＤ及びパスワードと、前記ＵＲＬが含まれたＱＲコードを発行し、前記端末へ送信する手段と、
来場者が所有する携帯電話又はＩＣカードに組み込まれたＩＣチップに格納されたＵＩＤやリーダーＩＤを、前記展示ブースのＩＣチップリーダーから前記会場内サーバを介して受信すると、訪問履歴情報ＤＢへ受信データを登録する手段と、
来場者のクライアント又は携帯電話から認証要求を受信すると、来場者専用サイト又は来場者専用携帯サイトを介して来場者へ来場者ＩＤとパスワードの入力を促す手段と、
入力された来場者ＩＤおよびパスワードを前記来場者のクライアント又は携帯電話から受信すると、受信した来場者ＩＤおよびパスワードに基づき認証処理を行い、正しい場合は接続を許可する手段と、
前記来場者のクライアント又は携帯電話から出展情報検索要求を受信すると、出展情報検索要求に基づきミニセミナー情報ＤＢ、出展企業情報ＤＢ及び製品情報ＤＢを検索し、検索条件に合致した情報を出展情報として要求元に送信する手段とを備え、
前記端末は、前記来場者専用携帯サイトへアクセスするＩＤ及びパスワードおよびＵＲＬが含まれたＱＲコードを受信すると、それを画面へ表示する手段と、
前記端末に接続されている出力機器に前記ＱＲコードを出力する手段とを備え、
前記携帯電話は、前記出力機器に出力されたＱＲコードを読み取る手段と、
ＱＲコードを介して来場者専用携帯サイトへアクセスする手段とを備えたことを特徴とする、携帯電話とＩＣチップを利用した展示会支援システムを提供するものである。
【０００８】
請求項２に係る発明は、前記センタサーバは、前記来場者のクライアントまたは携帯電話から訪問履歴表示要求を受信すると、訪問履歴情報ＤＢから来場者の訪問履歴を来場者ＩＤで検索し、更にその検索結果に、ファイルサーバに格納されているカタログに対応する出展企業ＩＤ及び製品ＩＤを含むかどうかを電子カタログＤＢから検索し、含む場合は、その検索結果を追加して、検索結果を要求元に送信する手段とを備えたことを特徴とする、請求項１記載の携帯電話とＩＣチップを利用した展示会支援システムを提供するものである。
【０００９】
請求項３に係る発明は、前記センタサーバは、前記来場者のクライアントまたは携帯電話から電子カタログダウンロード要求を受信すると、電子カタログＤＢからダウンロードするファイルのパスを検索し、ファイルサーバからそのパスに対応するファイルデータを取得する手段と、
取得したファイルデータを要求元へ送信する手段と、
送信と同時に、カタログタウンロード履歴情報ＤＢへ履歴情報を登録する手段とを備えたことを特徴とする、請求項１又は２記載の携帯電話とＩＣチップを利用した展示会支援システムを提供するものである。
【００１０】
請求項４に係る発明は、センタサーバが、展示会場内に設置された会場内サーバと、
展示会を主催する主催企業のクライアントと、
展示会に出品する出展企業のクライアントと、
展示会の来場者のクライアントと、
来場者の持つ携帯電話とにネットワークを介して通信自在に接続され、
前記会場内サーバが、展示会場内のサービス利用登録所に設置されたＩＣチップリーダー及びスキャナを備えた端末と、
展示ブースに設置されたＩＣチップリーダーとに接続された、携帯電話とＩＣチップを利用した展示会支援システムであって、
前記センタサーバは、前記センタサーバが提供する出展企業専用サイトを介して出展企業のクライアントから認証要求を受信すると、サイトにログインするための出展企業ＩＤとパスワードを入力させ、入力された出展企業ＩＤおよびパスワードを基に認証処理を行い、正しい場合は接続を許可する手段と、
前記出展企業のクライアントから受信した、ミニセミナー情報をミニセミナー情報ＤＢへ、出展企業情報を出展企業情報ＤＢへ、製品情報を製品情報ＤＢへ、電子カタログ情報を電子カタログＤＢへそれぞれ登録し、電子カタログデータをファイルサーバへ送信する手段と
登録及び送信が完了すると、その旨を前記主催企業のクライアントに通知する手段と、
前記出展企業のクライアントからＩＣチップリーダー利用申請が行われると、リーダー情報ＤＢに製品ＩＤを登録する手段と、
前記センタサーバが提供する主催企業専用サイトを介して前記主催企業のクライアントから認証要求を受信すると、主催企業ＩＤとパスワードを入力させ、入力された主催企業ＩＤおよびパスワードを基に認証処理を行い、正しい場合は接続を許可する手段と、
前記主催企業のクライアントから確認要求を受信すると、確認要求があった出展企業のミニセミナー情報をミニセミナー情報ＤＢから、出展企業情報を出展企業情報ＤＢから、製品情報を製品情報ＤＢから、カタログ情報を電子カタログＤＢからそれぞれ取得し、
取得した情報を要求元へ送信する手段とを備えたことを特徴とする、携帯電話とＩＣチップを利用した展示会支援システムを提供するものである。
【００１１】
請求項５に係る発明は、前記センタサーバは、出展企業のクライアントから電子カタログダウンロード者情報問い合わせ要求を受けると、カタログダウンロード履歴情報ＤＢから対象製品の電子カタログをダウンロードした来場者の来場者ＩＤを抽出し、抽出したデータをキーに個人情報ＤＢから検索した名刺情報を要求元へ送信する手段を備えたことを特徴とする、請求項４記載の携帯電話とＩＣチップを利用した展示会支援システムを提供するものである。
【００１２】
請求項６に係る発明は、前記センタサーバは、主催企業のクライアントから来場者訪問履歴問い合わせ要求を受けると、訪問履歴情報ＤＢ及び個人情報ＤＢから要求にあった項目を検索して検索結果を要求元へ送信する手段を備えたことを特徴とする、請求項４又は５記載の携帯電話とＩＣチップを利用した展示会支援システムを提供するものである。
【００１３】
請求項７に係る発明は、前記センタサーバは、前記主催企業のクライアントから名刺リスト作成問い合わせ要求を受けると、訪問履歴情報ＤＢ及び個人情報ＤＢから名刺情報を取得して、ＩＣチップリーダー毎の名刺リストを作成し、暗号化して出力し、リスト作成が完了すると、各出展企業のクライアントへ名刺リスト作成完了通知を送信する手段を備えたことを特徴とする、請求項４乃至６のうちいずれか一に記載の携帯電話とＩＣチップを利用した展示会支援システムを提供するものである。
【００１４】
請求項８に係る発明は、前記センタサーバは、出展企業のクライアントから名刺リスト取得依頼を受信すると、前記名刺リストを依頼元へ送信する手段を備えたことを特徴とする、請求項７記載の携帯電話とＩＣチップを利用した展示会支援システムを提供するものである。
【発明の効果】
【００１５】
本発明では、来場者の来場者の受付管理及び展示ブースへの訪問履歴情報を管理する仕組み、来場者へ訪問ブースの製品カタログを電子媒体で提供する仕組み、来場者の携帯電話で出展情報を検索できる仕組み、出展企業へ展示ブースに訪問した人の電子化された名刺情報を提供する仕組みを可能にする。これらによって、来場者はどのブースに行ったかを振り返り、訪問したブースの製品カタログを電子媒体で取得できるので、重いカタログを持ち帰らずに済む。又、出展企業は電子化された名刺情報を取得することができるので、自社で名刺をリスト化する手間が省ける。更に主催企業はどのブースでどの程度来場者が入ったか集計することが可能になる。
又、来場者が既に持っているＩＣチップを搭載した媒体を利用することで、ＩＣチップを搭載した媒体を発行するコストと手間を省き、安価なサービスを提供できる。
【図面の簡単な説明】
【００１６】
【図１】本発明の携帯電話とＩＣチップを利用した展示会支援システムのシステム構成例を示す図である。
【図２】本発明のシステムサーバの構成例を示す図である。
【図３】本発明のＩＣチップ情報ＤＢのデータ構造例を示す図である。
【図４】本発明の訪問履歴情報ＤＢのデータ構造例を示す図である。
【図５】本発明の個人情報ＤＢのデータ構造例を示す図である。
【図６】本発明のリーダー情報ＤＢのデータ構造例を示す図である。
【図７】本発明のミニセミナー情報ＤＢのデータ構造例を示す図である。
【図８】本発明の出展企業情報ＤＢのデータ構造例を示す図である。
【図９】本発明の製品情報ＤＢのデータ構造例を示す図である。
【図１０】本発明の電子カタログＤＢのデータ構造例を示す図である。
【図１１】本発明のカタログダウンロード履歴情報ＤＢのデータ構造例を示す図である。
【図１２】本発明の主催企業・出展企業を対象としたシステムの動作の流れの一例を示す図である。
【図１３】本発明の来場者を対象としたシステムの動作の流れの一例を示す図である。
【図１４】本発明の来場者のクライアントにて行われる事前登録処理を表すフローチャートである。
【図１５】本発明のセンタサーバにて行われる事前登録処理を表すフローチャートである。
【図１６】本発明の利用登録場所の当日登録者用端末で行われるサービス利用登録処理を表すフローチャートである。
【図１７】本発明の利用登録場所の事前登録者用端末で行われるサービス利用登録処理を表すフローチャートである。
【図１８】本発明のセンタサーバで行われるサービス利用登録処理を表すフローチャートである。
【図１９】本発明のＩＣチップリーダーにて行われる訪問履歴蓄積処理の手順を示すフローチャートである。
【図２０】本発明のセンタサーバにて行われる訪問履歴蓄積処理の手順を示すフローチャートである。
【図２１】本発明の検索結果の一例を示す図である。
【図２２】本発明の検索処理の手順を示すフローチャートである。
【図２３】本発明の訪問履歴一覧の一例を示す図である。
【図２４】本発明の訪問履歴一覧画面表示の手順の前半部分を示すフローチャートである。
【図２５】本発明の来場者訪問履歴画面の一例を示す図である。
【図２６】本発明の名刺情報提供用ファイル作成処理を表すフローチャートである。
【図２７】本発明の名刺リストファイル出力例を示す図である。
【発明を実施するための形態】
【００１７】
以下、実施例を示した図面を参照しつつ本発明の実施の形態を説明する。
なお、上記サーバ及びクライアントはコンピュータであり、上記各手段は、コンピュータのＣＰＵが必要なコンピュータプログラムを読み込んで実行することにより実現される手段であり、そのシーケンス図が図１２及び図１３であり、フローチャート図が図１４乃至２０、図２２、図２４及び図２６である。
【実施例１】
【００１８】
図１は、本実施の形態のシステム構成例を示す図である。図１に示すように、ネットワーク１０には、会場内サーバ２４０、センタサーバ１０１、主催企業のクライアント２０、出展企業のクライアント２１、来場者のクライアント２２、基地局２４が接続されている。
センタサーバ１０１は、各クライアント２０〜２２、及び会場内サーバ２４０から収集した情報を処理し、各クライアント２０〜２２や基地局２４を経由して携帯電話３０から問い合わせを受けると、情報を提供する。
ファイルサーバ１０２は、出展企業が配布するカタログの電子ファイルを格納しており、センタサーバ１０１に接続している。
【００１９】
展示会場２００には、会場内サーバ２４０が設置されている。会場内サーバ２４０は、展示会場２００内の各展示ブース２２１〜２２４のＩＣチップリーダー２３１〜２３４やサービス利用登録所２１０のＩＣチップリーダー２１３、２１４に接続される端末２１２、２１５に接続されている。
各展示ブース２２１〜２２４およびサービス利用登録所２１０に配置されているＩＣチップリーダー２３１〜２３４、２１３、２１４は来場者２３の後述するＩＣチップからＵＩＤ（user ID）のみを読み取り、会場内サーバ２４０を通してセンタサーバ１０１へ送信する。ＩＣチップリーダー２３１〜２３４は展示ブース２２１〜２２４に複数台設置しても良い。なお、ＩＣチップリーダーは一意のＩＤで識別できるように、リーダーＩＤという識別子を持つ。
【００２０】
サービス利用登録所２１０に配置されている端末２１２、２１５は、接続されているＩＣチップリーダー２１３、２１４が読み取ったＵＩＤの情報と、スキャナ２１１が読み取った名刺情報を会場内サーバ２４０へ送信する。次にセンタサーバ１０１から会場内サーバ２４０を介して送られてきた来場者専用携帯サイトＵＲＬ情報が含まれたＱＲコードを来場者２３へ提供する。
サービス利用登録所２１０に設置されているスキャナ２１１は、来場者２３の名刺３２から名刺情報を読みとる。
基本的には来場者２３は予め携帯電話３０とＩＣカード３１、および名刺３２を所有しているものとする。その場合、原則的に、携帯電話３０および名刺３２と同様に、ＩＣカード３１も既に持っているものを利用する。携帯電話３０にＩＣチップが内蔵されている場合、ＩＣカード３１は携帯電話３０でも代用できる。又、事前登録者の場合、名刺３２は不要である。
【００２１】
携帯電話３０は、電話機能・電子メール送受信機能に加え、携帯サイトへアクセスする機能及びＱＲコードを読み取る機能を備えている。また、携帯電話３０にはＩＣチップが内蔵されていても良い。来場者２３は携帯電話３０を利用して携帯サイトへアクセスし、出展情報や自身の訪問履歴情報等を閲覧する。
ＩＣカード３１はＩＣチップが内蔵されている。携帯電話３０やＩＣカード３１に内蔵されているＩＣチップには所有者である来場者２３を一意に識別するための識別子（ＵＩＤ）が格納されているものとする。
【００２２】
ここで、本発明のセンタサーバ１０１のシステム構成の実施例を図２で示す。
来場者情報取得手段Ｍ０１は、来場者のＩＣチップのＵＩＤ情報と名刺情報を収集し、両者を紐づけて管理する機能と、来場者の入場を管理する機能を持つ。
専用携帯サイトＵＲＬ作成手段Ｍ０２は、来場者個人の専用携帯サイト（来場者専用携帯サイト）ＵＲＬを作成し、作成されたＵＲＬからＱＲコードを作成する機能と、ＱＲコードを専用の用紙に印刷する機能を持つ。
検索手段Ｍ０３は来場者２３から入力されたキーワードに合致する出展企業情報をミニセミナー情報ＤＢ（データベース、以下同様）  Ｄ０５、出展企業情報ＤＢ  Ｄ０６、製品情報ＤＢ  Ｄ０７から検索する機能と、検索結果を来場者２３の携帯電話３０や来場者のクライアント２２へ表示する（送信し表示させる）機能を持つ。
【００２３】
訪問履歴管理手段Ｍ０４は来場者２３の訪問ブースをリーダー情報ＤＢ  Ｄ０４を基に収集し、訪問情報を訪問履歴情報ＤＢ  Ｄ０２へ蓄積する機能と、来場者２３に訪問履歴を訪問履歴情報ＤＢ  Ｄ０２から抽出して、来場者２３の携帯電話３０や来場者のクライアント２２へ表示する機能と、来場者に提供可能な電子カタログのカタログ情報を、カタログ提供手段Ｍ１０を利用して、電子カタログＤＢ  Ｄ０８から抽出する機能と、主催企業にどのような属性の来場者がどのような行動をとったのかを提供する機能を持つ。
【００２４】
来場者認証手段Ｍ０５は来場者２３に来場者個人の専用携帯サイトやＷＥＢサイトへアクセスするためのＩＤとパスワードを発行する機能と、来場者２３所有の携帯電話３０や来場者のクライアント２２から入力されたＩＤとパスワードによって、来場者の操作を認証する機能を持つ。
名刺情報提供手段Ｍ０６は訪問履歴管理手段Ｍ０４を利用して、個人情報ＤＢ  Ｄ０３から来場者の名刺情報を抽出し、出展製品別にブース訪問者の名刺情報リストを作成する機能と、出展企業へブース訪問者の名刺情報リストを提供する機能を持つ。
カタログダウンロード者情報提供手段Ｍ０７はカタログダウンロード履歴情報ＤＢ  Ｄ０９と個人情報ＤＢ  Ｄ０３から、カタログをダウンロードした来場者の名刺情報を提供する機能を持つ。
【００２５】
出展情報登録・確認手段Ｍ０８は出展企業専用ＷＥＢサイトを通してミニセミナー情報、出展企業情報、製品情報をそれぞれのデータベースＤ０５〜Ｄ０７に登録又は修正する機能と、ＩＣチップリーダーの利用申請を行う機能と、ミニセミナー情報ＤＢ  Ｄ０５、出展企業情報ＤＢ  Ｄ０６、製品情報ＤＢ  Ｄ０７に格納されているデータを主催企業に主催企業専用ＷＥＢサイトを通して確認させる機能を持つ。
【００２６】
主催企業認証手段Ｍ０９は主催企業に主催企業専用ＷＥＢサイトへアクセスするためのＩＤとパスワードを発行する機能と、主催企業のクライアント２０から入力されたＩＤとパスワードによって、主催企業の操作を認証する機能を持つ。
カタログ提供手段Ｍ１０は来場者２３に電子カタログを提供する機能と電子カタログがダウンロードされた時刻とダウンロード者の情報をカタログダウンロード履歴情報ＤＢ  Ｄ０９へ蓄積する機能を持つ。
出展企業認証手段Ｍ１１は出展企業に出展企業専用ＷＥＢサイトへアクセスするためのＩＤとパスワードを発行する機能と、出展企業のクライアント２１から入力されたＩＤとパスワードによって、出展企業専用ＷＥＢサイトへのアクセスを認証する機能を持つ。
【００２７】
図３〜１１は本発明で利用するデータベースの例である。この例を使って本発明が管理するデータについて述べる。
ＩＣチップ情報ＤＢ  Ｄ０１は来場者２３が所持するＩＣチップのＵＩＤを管理する。具体的には図３のようなデータである。実施例では、来場者ＩＤ、ＵＩＤが保存されている。個人情報ＤＢ  Ｄ０３とＩＣチップ情報ＤＢ  Ｄ０１がどちらも来場者ＩＤを保持することで、ＩＣチップのＵＩＤと名刺情報を紐付けて管理している。
【００２８】
訪問履歴情報ＤＢ  Ｄ０２は来場者の訪問した展示ブースの履歴を管理する。具体的には図４のようなデータである。実施例では、来場者ＩＤ、出展企業ＩＤ、製品ＩＤ、時刻が保存されている。
個人情報ＤＢ  Ｄ０３は来場者の名刺情報を管理する。具体的には図５のようなデータである。実施例では、来場者ＩＤ、氏名、住所、電話番号、会社名、部署名、役職、来場フラグが保存されている。来場フラグとは、実際に来場者が来場したかどうかを示すフラグである。
【００２９】
リーダー情報ＤＢ  Ｄ０４は展示ブース２２１〜２２４に配置されているＩＣチップリーダー２３１〜２３４の情報を管理する。具体的には図６のようなデータである。実施例では、リーダーＩＤ、出展企業ＩＤ、製品ＩＤが保存されている。
ミニセミナー情報ＤＢ  Ｄ０５は出展企業が展示ブース２２１〜２２４で開催するミニセミナーの情報を管理する。具体的には図７のようなデータである。実施例では、ミニセミナーＩＤ、出展企業ＩＤ、時刻、タイトル、内容が保存されている。
【００３０】
出展企業情報ＤＢ  Ｄ０６は出展企業の出展内容を管理する。具体的には図８のようなデータである。実施例では、出展企業ＩＤ、出展概要、企業名、確認完了フラグが保存されている。確認完了フラグとは、主催企業による登録内容確認が完了したかどうかを示すフラグである。フラグには、確認未了の場合は０、確認完了の場合は１を登録する。
製品情報ＤＢ  Ｄ０７は出展企業が出展している製品情報を管理する。製品が複数ある出展企業の場合は、主力製品を一つ選択し、そのデータの主力製品フラグを１として出展企業の主力製品が分かるようにしておく。具体的には図９のようなデータである。実施例では、出展企業ＩＤ、製品ＩＤ、主力製品フラグ、製品名、製品説明が保存されている。
【００３１】
電子カタログＤＢ  Ｄ０８はファイルサーバ１０２に格納されている電子カタログファイルのパス情報を管理する。具体的には図１０のようなデータである。実施例では、カタログＩＤ、出展企業ＩＤ、製品ＩＤ、ファイルパスが保存されている。
カタログダウンロード履歴情報ＤＢ  Ｄ０９は来場者がいつどのようなカタログをダウンロードしたのかという情報を管理する。具体的には図１１のようなデータである。実施例では、来場者ＩＤ、カタログＩＤ、時刻が保存されている。
【００３２】
次に図１２〜図１３を使って本発明のシステムの動作について述べる。
図１２は主催企業向けのシステムと出展企業向けのシステムの利用の流れを示す。出展企業は出展企業のクライアント２１を利用して出展企業専用サイトへアクセスし、センタサーバ１０１が出展企業から認証要求を受信すると、センタサーバ１０１は、出展企業認証手段Ｍ１１によってサイトにログインするための出展企業ＩＤとパスワードを入力させ（Ｆ１１１）、入力された出展企業ＩＤおよびパスワードを基に認証処理を行い、正しい場合は接続を許可する（Ｆ１１２）。認証処理が完了すると、出展企業のクライアント２１へ出展情報を登録する機能、電子カタログダウンロード者の情報を取得する機能、ブースに訪問した来場者の名刺情報を取得する機能を提供する。
【００３３】
展示会開催前では、出展企業情報、製品情報、ミニセミナー情報を登録し、ＩＣチップリーダーの利用申請を行う（Ｆ１１３）。これは、出展情報登録・確認手段Ｍ０８によって、出展企業のクライアント２１から受信した、ミニセミナー情報をミニセミナー情報ＤＢ  Ｄ０５へ、出展企業情報を出展企業情報ＤＢ  Ｄ０６へ、製品情報を製品情報ＤＢ  Ｄ０７へ、電子カタログ情報を電子カタログＤＢ  Ｄ０８へそれぞれ登録し、電子カタログデータをファイルサーバ１０２へ送信する。なお、ＩＣチップリーダーの利用申請とは、ＩＣチップをかざした来場者に提供する電子カタログの製品ＩＤを申請するということである。登録する際には、それぞれのＤＢで一意であるＩＤを設定する。登録及び送信が完了すると、その旨主催企業のクライアント２０に通知する（Ｆ１１４）。ＩＣチップリーダー利用申請が行われると、センタサーバ１０１はリーダー情報ＤＢ  Ｄ０４に製品ＩＤを登録する（Ｆ１１５）。なお、リーダーＩＤはシステム提供者によって、システム提供前に登録済みであるものとする。
【００３４】
主催企業は主催企業のクライアント２０を利用して主催企業専用サイトへアクセスし、センタサーバ１０１が主催企業から認証要求を受信すると、センタサーバ１０１は、主催企業認証手段Ｍ０９によって主催企業へ主催企業ＩＤとパスワードを入力させ（Ｆ１２１）、入力された主催企業ＩＤおよびパスワードを基に認証処理を行い、正しい場合は接続を許可する（Ｆ１２２）。認証処理が完了すると、主催企業へ出展情報を確認する機能、名刺リスト作成実行機能、来場者の訪問履歴を参照する機能を提供する。
【００３５】
主催企業はＦ１１４の通知を受け取ると、出展情報の確認を行う（Ｆ１２３）。これは、出展情報登録・確認手段Ｍ０８によって出展情報ＤＢ  Ｄ０６の確認完了フラグが０のデータを表示する。主催企業から確認要求があった出展企業のミニセミナー情報をミニセミナー情報ＤＢ  Ｄ０５から、出展企業情報を出展企業情報ＤＢ  Ｄ０６から、製品情報を製品情報ＤＢ  Ｄ０７、カタログ情報を電子カタログＤＢ  Ｄ０８からそれぞれ取得し、送信する（Ｆ１２４）。主催企業はそのデータを基に登録内容を校正する。
【００３６】
図１３は来場者のシステム利用の流れを示す。展示会来場希望者は自身でＩＣチップリーダーを所有している場合、それを利用して展示会当日に持参するＩＣチップのＵＩＤを調べて登録する（Ｆ２１１）。登録は来場者情報取得手段Ｍ０１で、訪問希望者のＩＣチップのＵＩＤをＩＣチップ情報ＤＢ  Ｄ０１へ、個人情報を個人情報ＤＢ  Ｄ０３へそれぞれ登録する。その際には、個人情報ＤＢ  Ｄ０３で一意であるＩＤを来場者ＩＤとして設定し、登録する。事前登録は強制ではなく、当日会場で登録することも可能である。
【００３７】
展示会当日、事前登録を行った来場者は、サービス利用登録所２１０の事前登録者用として設置された事前登録者用ＩＣチップリーダー２１４に事前に登録済みのＩＣチップをかざす（Ｆ２２１）。これによって読み取られたＵＩＤは、事前登録者用端末２１２及び会場内サーバ２４０を介してセンタサーバ１０１に送信される（Ｆ２２２）。事前登録を行っていない来場者は、サービス利用登録所２１０の当日登録者用として設置された当日登録者用ＩＣチップリーダー２１３にＩＣチップをかざし、スキャナ２１１に名刺３２をスキャンさせる（Ｆ２２１）。ＩＣチップリーダー２１３によって取得されたＵＩＤ及びスキャナ２１１によって読み取られた名刺情報は当日登録者用端末２１２及び会場内サーバ２４０を介してセンタサーバ１０１に送信される（Ｆ２２２）。
【００３８】
センタサーバ１０１はサービス利用登録所２１０の端末２１２、２１５から送信されたＵＩＤや名刺情報を受信すると、来場者取得手段Ｍ０１によって、受信したデータが未登録の場合はＩＣチップのＵＩＤをＩＣチップ情報ＤＢ  Ｄ０１へ、個人情報を個人情報ＤＢ  Ｄ０３へそれぞれ登録する。登録済みである場合は、個人情報ＤＢ  Ｄ０３の来場フラグを更新する。登録又は更新が完了すると、専用携帯サイトＵＲＬ作成手段Ｍ０２によって来場者専用携帯サイトにアクセスするＵＲＬを作成する（Ｆ２２３）。
【００３９】
次に来場者認証手段Ｍ０５によって作成された専用携帯サイトにアクセスするためのＩＤ及びパスワードと、専用携帯サイトＵＲＬ作成手段Ｍ０２によって作成された来場者専用携帯サイトへアクセスするＵＲＬが含まれたＱＲコードを発行し、そのＩＤ及びパスワードとＱＲコードをサービス利用登録所２１０の端末２１２、２１５へ送信する（Ｆ２２４）。サービス利用登録所２１０の端末２１２、２１５は専用携帯サイトへアクセスするＩＤ及びパスワード、ＵＲＬが含まれたＱＲコードを受信すると、それを画面へ表示すると同時に、ＱＲコードについては端末２１２、２１５に接続されているプリンターなどの出力機器２１６、２１７へ出力する。
来場者は端末２１２、２１５に表示されたＱＲコード又は出力機器２１６、２１７に出力されたＱＲコードを携帯電話で読み取り、ＱＲコードを介して来場者自身の専用携帯サイト（来場者専用携帯サイト）へアクセスすることができる。
【００４０】
来場者は展示ブース訪問時に、そこに設置されているＩＣチップリーダーに登録済みのＩＣチップをかざす（Ｆ２３１）。ＩＣチップリーダーはＩＣチップのＵＩＤを読み取り、リーダーのリーダーＩＤと共にセンタサーバ１０１へ送信する（Ｆ２３２）。センタサーバ１０１は展示ブース２２１〜２２４に設置されているＩＣチップリーダー２３１〜２３４から送信されたＵＩＤやリーダーＩＤ等を受信すると、訪問履歴管理手段Ｍ０４によって訪問履歴情報ＤＢ  Ｄ０２へデータを登録する。
【００４１】
来場者２３は来場者のクライアント２２又は携帯電話３０を利用して来場者専用サイトへアクセスし、センタサーバ１０１が来場者２３から認証要求を受信すると、来場者認証手段Ｍ０５によって来場者２３へ来場者ＩＤとパスワードを入力させ（Ｆ２４１）、入力された来場者ＩＤおよびパスワードを基に認証処理を行い、正しい場合は接続を許可する（Ｆ２４２）。認証処理が完了すると、来場者へ出展情報を検索する機能、訪問履歴を表示する機能、電子カタログをダウンロードする機能を提供する。
【００４２】
センタサーバ１０１が来場者のクライアント２２又は携帯電話３０から出展情報検索要求（Ｆ２４３）を受信すると、検索手段Ｍ０３によって検索条件に合致した情報をミニセミナー情報ＤＢ  Ｄ０５、出展企業情報ＤＢ  Ｄ０６及び製品情報ＤＢ  Ｄ０７から出展情報として要求元へ送信する（Ｆ２４４）。
センタサーバ１０１が来場者のクライアント２２または携帯電話３０から訪問履歴表示要求（Ｆ２４５）を受信すると、訪問履歴管理手段Ｍ０４によって訪問履歴情報ＤＢ  Ｄ０２から来場者２３の訪問履歴を来場者ＩＤで検索する。更に検索結果に、ファイルサーバ１０２に格納されているカタログに対応する出展企業ＩＤ及び製品ＩＤを含むかどうかを電子カタログＤＢ  Ｄ０８から検索し、含む場合は、その検索結果を追加して、検索結果を要求元へ送信する（Ｆ２４６）。
【００４３】
センタサーバ１０１が来場者のクライアント２２または携帯電話３０から電子カタログダウンロード要求（Ｆ２４７）を受信すると、カタログ提供手段Ｍ１０によって電子カタログＤＢ  Ｄ０８からダウンロードするファイルのパスを検索し、ファイルサーバ１０２からそのパスに対応するファイルデータを取得して、要求元へ送信する（Ｆ２４８）。同時に、カタログタウンロード履歴情報ＤＢ  Ｄ０９へ履歴情報を登録する。
来場者が来場者専用サイトで利用できるサービスを終了する場合は、サイトからログアウトする（Ｆ２４９）。
【００４４】
図１２のように、センタサーバ１０１が出展企業のクライアント２１から電子カタログダウンロード者情報問い合わせ要求（Ｆ１１６）を受けると、センタサーバ１０１は、カタログダウンロード者情報提供手段Ｍ０７によってカタログダウンロード履歴情報ＤＢ  Ｄ０９から対象製品の電子カタログをダウンロードした来場者の来場者ＩＤを抽出し、抽出したデータをキーに個人情報ＤＢ  Ｄ０３から検索した名刺情報を要求元へ送信する（Ｆ１１７）。
展示会終了後、主催企業は来場者の訪問履歴を参照することができ、来場者分析に役立てることが出来る。センタサーバ１０１が主催企業のクライアント２０から来場者訪問履歴問い合わせ要求（Ｆ１２５）を受けると、センタサーバ１０１は、訪問履歴管理手段Ｍ０４によって訪問履歴情報ＤＢ  Ｄ０２及び個人情報ＤＢ  Ｄ０３から要求にあった項目を検索して検索結果をマージして送信する（Ｆ１２６）。送信可能な項目は、訪問履歴情報ＤＢ  Ｄ０２及び個人情報ＤＢ  Ｄ０３、出展企業情報ＤＢ  Ｄ０６、製品情報ＤＢ  Ｄ０７の項目のうち、来場者ＩＤ、出展企業ＩＤ、製品ＩＤを除いたものである。
【００４５】
展示会終了後、出展企業は展示ブースに訪問した来場者の名刺情報をファイルで取得することができ、名刺リスト作成の手間を軽減することができる。センタサーバ１０１が主催企業のクライアント２０から名刺リスト作成問い合わせ要求（Ｆ１２７）を受けると、訪問履歴管理手段Ｍ０４によってＩＣチップリーダー毎の名刺リストを作成し、暗号化して出力する（Ｆ１２８）。これは、訪問履歴管理手段Ｍ０４によって訪問履歴情報ＤＢ  Ｄ０２及び個人情報ＤＢ  Ｄ０３から名刺情報を取得することで実現する。リスト作成が完了すると、各出展企業へ名刺リスト作成完了通知を送信する（Ｆ１２９）。出展企業は名刺リスト作成完了通知を受けると、センタサーバ１０１へ名刺リスト取得依頼（Ｆ１３０）を発行する。センタサーバ１０１は名刺リスト取得依頼を受信すると、名刺リストを依頼元へ送信する（Ｆ１３１）。
【００４６】
図１４は来場者のクライアント２２にて行われる事前登録処理を表すフローチャートである。これは来場者情報取得手段Ｍ０１によって実現されるもので、まず事前登録画面を表示する（Ｓ００１）。来場者は展示会場に持参するＩＣチップのＵＩＤ及び名刺情報を入力し（Ｓ００２、Ｓ００３）、送信ボタンを押下し、登録情報をセンタサーバ１０１へ送信する（Ｓ００４）。通常ＩＣチップのＵＩＤは、ＩＣチップが搭載されたカード又は携帯電話を市販のＩＣチッリーダーにかざすことで取得できる。
【００４７】
図１５はセンタサーバ１０１にて行われる事前登録処理を表すフローチャートである。これは来場者取得手段Ｍ０１によって実現されるもので、まず来場者のクライアント２２から送信されたＵＩＤと名刺情報を受信する（Ｓ０１１）。来場者ＩＤを採番し（Ｓ０１２）、来場者ＩＤとＵＩＤをＩＣチップ情報ＤＢ  Ｄ０１へ、来場者ＩＤと個人情報を個人情報ＤＢ  Ｄ０３へそれぞれ登録する（Ｓ０１３）。このとき、来場フラグは０を登録する。
【００４８】
図１６はサービス利用登録所２１０の当日登録者用端末２１２で行われるサービス利用登録処理を表すフローチャートである。まずＩＣチップをＩＣチップリーダーにかざすような指示が含まれている当日登録用画面を表示する（Ｓ１０１）。来場者がＩＣチップをＩＣチップリーダーにかざすとＩＣチップのＵＩＤがリーダーによって読み取られ（Ｓ１０２）、端末２１２がそれを認識すると、読取完了画面を表示する（Ｓ１０３）。読取完了画面には、名刺をスキャンするような指示も含まれている。スキャナ２１１によって来場者の名刺情報が読み取られると（Ｓ１０４）、端末２１２がそれを認識し、読取完了画面を表示する（Ｓ１０５）。読み取ったＵＩＤと名刺情報をセンタサーバ１０１へ送信する（Ｓ１０６）。
【００４９】
図１７はサービス利用登録所２１０の事前登録者用端末２１５で行われるサービス利用登録処理を表すフローチャートである。まず事前登録済みのＩＣチップをＩＣチップリーダー２１４にかざすような指示が含まれている事前登録者用画面を表示する（Ｓ１１１）。来場者がＩＣチップをＩＣチップリーダー２１４にかざすとＩＣチップのＵＩＤがリーダー２１４によって読み取られ（Ｓ１１２）、端末２１５がそれを認識すると、読取完了画面を表示し（Ｓ１１３）、ＵＩＤをセンタサーバ１０１へ送信する（Ｓ１１４）。
【００５０】
図１８はセンタサーバ１０１で行われるサービス利用登録処理を表すフローチャートである。これは来場者取得手段Ｍ０１によって実現されるもので、まずセンタサーバ１０１がＵＩＤまたはＵＩＤ及び名刺情報を受信すると（Ｓ１２１）、このＵＩＤに対応する来場者ＩＤを個人情報ＤＢ  Ｄ０３から検索する（Ｓ１２２）。検索した結果、該当するＵＩＤが存在する場合には、来場者ＩＤの来場フラグを１に変更し（Ｓ１２３）、Ｓ１２６へ処理を進める。該当するＵＩＤが存在しない場合には、来場者ＩＤを採番し（Ｓ１２４）、来場者ＩＤとＵＩＤをＩＣチップ情報ＤＢ  Ｄ０１へ、来場者ＩＤと個人情報を個人情報ＤＢ  Ｄ０３へそれぞれ登録する（Ｓ１２５）。このとき、来場フラグは１を登録する。Ｓ１２３又はＳ１２５の処理が完了すると、専用携帯サイトＵＲＬ作成手段Ｍ０２で、来場者ＩＤを利用して、来場者専用携帯サイトへアクセスするＵＲＬを作成（Ｓ１２６）し、そのデータからＱＲコードを発行（Ｓ１２７）する。又、来場者認証手段Ｍ０５によって、専用携帯サイトにアクセスするためのパスワードを発行（Ｓ１２８）する。
【００５１】
図１９は展示ブース２２１〜２２４に設置されているＩＣチップリーダー２３１〜２３４にて行われる訪問履歴蓄積処理の手順を示すフローチャートである。来場者がＩＣチップをＩＣチップリーダーにかざすと、ＩＣチップリーダーはＵＩＤを読み取り（Ｓ２０１）、ＵＩＤとＩＣチップリーダーＩＤをセンタサーバ１０１へ送信する（Ｓ２０２）。
【００５２】
図２０はホストサーバ１０１にて行われる訪問履歴蓄積処理の手順を示すフローチャートである。これは訪問履歴管理手段Ｍ０４によって実現されるもので、まず展示ブースに設置されているＩＣチップリーダーからＵＩＤとリーダーＩＤを受信し（Ｓ２１１）、時刻を取得する（Ｓ２１２）。ＵＩＤに対応する来場者ＩＤをＩＣチップ情報ＤＢ  Ｄ０１から、ＩＣチップリーダーに対応する出展企業ＩＤと製品ＩＤをリーダー情報ＤＢ  Ｄ０４から取得する（Ｓ２１３、Ｓ２１４）。取得した来場者ＩＤ、出展企業ＩＤ、製品ＩＤ及び時刻を訪問履歴情報ＤＢ  Ｄ０２へ登録する（Ｓ２１５）。
【００５３】
図２１は検索結果の一例を示す図である。これは検索手段Ｍ０３によって実現されるもので、検索結果は５０３のように表示される。５０２の企業名を選択すると、企業情報の詳細が記載されているページへリンクする。企業情報の詳細とは、ミニセミナー情報ＤＢ  Ｄ０５、出展企業情報ＤＢ  Ｄ０６、製品情報ＤＢ  Ｄ０７に登録されているデータのうち、ミニセミナーＩＤ、出展企業ＩＤ、確認完了フラグ、主力製品フラグを除いたものを指す。来場者は図の５０１部分に検索キーワードを入力し、５０４の検索ボタンを押下することで、検索結果の画面でも新たな条件で検索することができる。
【００５４】
図２２はセンタサーバ１０１にて行われる検索処理の手順を示すフローチャートである。これは検索手段Ｍ０３によって実現されるもので、検索条件を受信すると（Ｓ３０１）、検索条件に該当するレコードをミニセミナー情報ＤＢ  Ｄ０５、出展企業情報ＤＢ  Ｄ０６、製品情報ＤＢ  Ｄ０７から取得する（Ｓ３０２）。来場者ＩＤに対応する出展企業ＩＤと製品ＩＤを訪問履歴情報ＤＢ  Ｄ０２から取得する（Ｓ３０３）。取得したデータのうち、主力フラグが１となっている出展企業ＩＤを取得する（Ｓ３０４）。Ｓ３０２で取得したレコードを検索結果として図２１のような画面を表示するが、Ｓ３０４で取得した出展企業ＩＤに該当するレコードを上位に表示させる（Ｓ３０５）。
【００５５】
図２３は来場者の訪問履歴を表示する機能の画面の一例を示す図である。６０２のように、訪問した展示ブースの出展企業名と訪問した時間が時系列に表示される。出展企業名を選択すると、企業情報の詳細が記載されているページへリンクする。その出展ブースで配布しているカタログの電子カタログがファイルサーバ１０２に登録されている場合は、６０３のようにダウンロード可能であることが表示される。これを選択すると、電子カタログをダウンロードすることができる。
【００５６】
図２４は訪問履歴一覧画面表示の手順の前半部分を示すフローチャートである。これは訪問履歴管理手段Ｍ０４によって実現されるもので、まず、訪問履歴一覧画面の表示要求を受信する（Ｓ４０１）と、来場者の来場者ＩＤに対応する出展企業ＩＤと製品ＩＤを訪問履歴情報ＤＢ  Ｄ０２から取得する（Ｓ４０２）。これに対応するカタログＩＤを全て電子カタログＤＢ  Ｄ０８から取得し（Ｓ４０３、Ｓ４０４）、Ｓ４０３、Ｓ４０４の処理をＳ４０２で取得した出展企業ＩＤと製品ＩＤに対して行う（Ｓ４０５）。Ｓ４０２で取得したデータを時刻順にソートし、図２３のような画面を表示する。Ｓ４０３でカタログＩＤを取得できた場合は、図２３の６０３のように電子カタログをダウンロード可能であることが分かる。
【００５７】
図２５は来場者訪問履歴画面の一例である。７０１〜７０４は項目タイトル部分であり、表示項目はプルダウン形式で選択することができる。７０１〜７０４のように表示項目を決定し、７０５の表示ボタンを選択すると、名刺情報を表示する。
【００５８】
図２６は名刺情報提供用ファイル作成処理を表すフローチャートである。このファイルは出展企業の製品毎に作成される。これは名刺情報提供手段Ｍ０６によって実現されるもので、名刺リスト作成要求を受信する（Ｓ５０１）と、出展企業情報ＤＢ  Ｄ０６に登録されている出展企業ＩＤの数だけＳ５０２〜Ｓ５１１の処理を繰り返し、その出展企業ＩＤに対応する製品ＩＤの数だけＳ５０３〜Ｓ５１０の処理を繰り返す。まず出展企業ＩＤに対応する来場者ＩＤを訪問履歴情報ＤＢ  Ｄ０２から取得する（Ｓ５０２）。取得したデータの中から製品ＩＤに対応する来場者ＩＤを取得し（Ｓ５０３）、来場者ＩＤでソートする（Ｓ５０４）。ソートしたデータを全件に対してＳ５０５の処理を行う。Ｓ５０５の処理とは、一つ前のレコードと現在着目しているレコードの来場者ＩＤが同じかどうかを判定する処理であり、同じ場合にはレコード数をインクリメント（Ｓ５０６）、異なる場合にはレコード数を保存する（Ｓ５０７）ことで、来場者ＩＤの重複件数をカウントする。Ｓ５０３で取得した来場者ＩＤ全件に対応する個人情報を重複無しで個人情報ＤＢ  Ｄ０３から抽出（Ｓ５０８）し、個人情報とＳ５０７で保存したレコード数をファイルへ暗号化して出力する（Ｓ５０９）。
【００５９】
図２７は名刺リストファイル出力例を示す図で、図２６のＳ５０９の処理で出力される。
なお、本発明は、上述の実施の形態にのみ限定されるものではなく、本発明の要旨を逸脱しない範囲内において種々の変更を加えることができる。
なお、名刺３２にＩＣチップやＱＲコードが搭載されている場合、名刺情報読取手段としてそれらの読取機能を装備させることにより、ＩＣチップやＱＲコードを読み取り、個人情報ＤＢ  Ｄ０３へ格納することができる。格納した情報を名刺リストへ名刺情報と共に出力することで、出展企業へ情報を提供する。
【符号の説明】
【００６０】
１０  ネットワーク
２０  主催企業のクライアント
２１  出展企業のクライアント
２２  来場者のクライアント
２３  来場者
３０  携帯電話
３１  ＩＣカード
３２  名刺
１０１  センタサーバ
１０２  ファイルサーバ
２００  展示会場
２１０  サービス利用登録所
２１１  スキャナ
２１２，２１５  端末
２１３，２１４，２３１〜２３４  ＩＣチップリーダー
２１６，２１７  出力機器
２２１〜２２４  展示ブース
２４０  会場内サーバ
【図１】
2011043953.tif 000003
【図２】
2011043953.tif 000004
【図３】
2011043953.tif 000005
【図４】
2011043953.tif 000006
【図５】
2011043953.tif 000007
【図６】
2011043953.tif 000008
【図７】
2011043953.tif 000009
【図８】
2011043953.tif 000010
【図９】
2011043953.tif 000011
【図１０】
2011043953.tif 000012
【図１１】
2011043953.tif 000013
【図１２】
2011043953.tif 000014
【図１３】
2011043953.tif 000015
【図１４】
2011043953.tif 000016
【図１５】
2011043953.tif 000017
【図１６】
2011043953.tif 000018
【図１７】
2011043953.tif 000019
【図１８】
2011043953.tif 000020
【図１９】
2011043953.tif 000021
【図２０】
2011043953.tif 000022
【図２１】
2011043953.tif 000023
【図２２】
2011043953.tif 000024
【図２３】
2011043953.tif 000025
【図２４】
2011043953.tif 000026
【図２６】
2011043953.tif 000027
【図２７】
2011043953.tif 000028
【図２５】
2011043953.tif 000029